(57)【要約】  本発明は、スマートディバイスに設置されたモバイルメッセンジャーを利用した広告コンテンツ提供方法に関するものである。  本発明の方法は、（ａ）前記モバイルメッセンジャーを実行するステップと、（ｂ）前記モバイルメッセンジャーの受信者を選択し、仮想キーボードを利用して前記受信者ディバイスに単一周期の最初のメッセージを伝送するステップと、（ｃ）最初のメッセージを伝送してから待機する間に前記仮想キーボード領域に広告コンテンツを表示するステップと、を含むことを特徴とする。
2015518611.tif 000002
【特許請求の範囲】
【請求項１】
スマートディバイスに設置されたモバイルメッセンジャーを利用した広告コンテンツの提供方法であって、
（ａ）前記モバイルメッセンジャーを実行するステップと、
（ｂ）前記モバイルメッセンジャーの受信者を選択し、仮想キーボードを利用して前記受信者ディバイスに、関連した一連の送受信メッセージである単一メッセージ群のメッセージを伝送するステップと、
（ｃ）最初のメッセージを伝送してから待機する間に前記仮想キーボード領域に広告コンテンツを表示するステップと、を含むモバイルメッセンジャーを利用した広告コンテンツ提供方法。
【請求項２】
前記最初のメッセージに対して前記受信者から返信メッセージが受信された場合又は予め設定された表示時間が終了された場合、前記広告コンテンツの表示を中断するステップを更に含む請求項１に記載のモバイルメッセンジャーを利用した広告コンテンツ提供方法。
【請求項３】
前記（ｃ）ステップは、前記スマートディバイスのメモリに予め格納されている広告コンテンツを読み出して表示するか、或いは前記モバイルメッセンジャー提供者サーバー又は広告コンテンツサーバーのデータベースに格納されている広告コンテンツをストリーミングして前記スマートディバイスの画面に表示することである請求項１に記載のモバイルメッセンジャーを利用した広告コンテンツ提供方法。
【請求項４】
前記スマートディバイスの前記広告コンテンツの露出に対するログ記録が広告コンテンツサーバー又はモバイルメッセンジャー提供者サーバーによって格納され、前記広告コンテンツサーバー又は前記モバイルメッセンジャー提供者サーバーが広告コンテンツの露出回数だけ前記スマートディバイスの使用料金を負担するステップを更に含請求項１に記載のモバイルメッセンジャーを利用した広告コンテンツ提供方法。
【請求項５】
スマートディバイスにインストールされているモバイルメッセンジャーを利用した広告コンテンツの提供方法であって、
（１）前記モバイルメッセンジャーを実行するステップと、
（２）前記モバイルメッセンジャーの受信者を選択し、リアルタイムでメッセージを送受信する途中に発信者がスマートディバイスのメモリに格納されているファイル又はＵＲＬアドレスを入力して受信者に伝送するステップと、
（３）前記発信者のスマートディバイスの仮想キーボード領域に広告コンテンツを表示するステップと、を含むモバイルメッセンジャーを利用した広告コンテンツ提供方法。
【請求項６】
前記ファイル又はＵＲＬを送った後、前記受信者から返信メッセージが受信された場合又は予め設定された表示時間が終了された場合、前記広告コンテンツの表示を中断するステップを更に含む請求項５に記載のモバイルメッセンジャーを利用した広告コンテンツ提供方法。
【請求項７】
前記（３）ステップは、前記スマートディバイスのメモリに予め格納されている広告コンテンツを読み出して表示するか、或いは前記モバイルメッセンジャー提供者サーバー又は広告サーバーのデータベースに格納されている広告コンテンツをストリーミングして前記スマートディバイスの場面に表示することである請求項５に記載のモバイルメッセンジャーを利用した広告コンテンツ提供方法。
【請求項８】
前記スマートディバイスの前記広告コンテンツの露出に対するログ記録が広告コンテンツサーバー又はモバイルメッセンジャー提供者サーバーによって格納され、前記広告コンテンツサーバー又は前記モバイルメッセンジャー提供者サーバーが広告コンテンツの露出回数だけ前記スマートディバイスの使用料金を負担するステップを更に含む請求項５に記載のモバイルメッセンジャーを利用した広告コンテンツ提供方法。
【請求項９】
スマートディバイスにインストールされているモバイルメッセンジャーを利用した広告コンテンツの提供方法であって、
（Ａ）前記モバイルメッセンジャーを実行するステップと、
（Ｂ）前記モバイルメッセンジャーの受信者を選択し、前記受信者ディバイスにメッセージを伝送するステップと、
（Ｃ）前記メッセージを伝送したスマートディバイスの仮想キーボード領域にメッセージが入力されない休憩期間の間に前記スマートディバイスに格納されている広告コンテンツを読み出して表示するか、又はモバイルメッセンジャー提供者サーバー又は広告コンテンツサーバーのデータベースに格納されている広告コンテンツをストリーミングして表示するステップと、を含むモバイルメッセンジャーを利用した広告コンテンツ提供方法。
【請求項１０】
前記広告コンテンツはテキスト、イメージ及び動画のうちいずれか一つ以上のコンテンツである請求項１、請求項５、請求項９のいずれか一項に記載のモバイルメッセンジャーを利用した広告コンテンツ提供方法。
【請求項１１】
前記スマートディバイスはスマートフォン、タブレットＰＣ、スマートテレビのうちいずれか一つである請求項１、請求項５、請求項９のいずれか一項に記載のモバイルメッセンジャーを利用した広告コンテンツ提供方法。
【発明の詳細な説明】
【技術分野】
【０００１】
本発明は、スマートディバイスを利用した広告コンテンツ提供方法に関するものである。
【背景技術】
【０００２】
スマートフォンやタブレットＰＣの市場がモバイル産業の中心を占めるようになり、従来のフィーチャーフォン中心の移動通信サービスは大きな変化を迎えるようになった。変化の中心にはアプリケーションソフトウェアがあった。消費者に各種の便利さと有用さを提供するアプリケーションが開発され配布された。例えば、多数の消費者が利用する有料基盤のＳＭＳ，ＭＭＳサービスは有料で、それを介して移動通信会社は莫大は利益を得ていた。ところが、無料のメッセンジャーアプリケーションが開発され普及されると、消費者は従来の課金されるＳＭＳサービスを利用するよりはメッセンジャーアプリケーションを利用して文字メッセージを伝送するようになった。
【０００３】
モバイルメッセンジャーはモバイルインスタントメッセージ（Ｍｏｂｉｌｅ  Ｉｎｓｔａｎｔ  Ｍｅｓｓａｇｅ；ＭＩＭ）サービスを提供する。このようなモバイルメッセンジャーはカカオトーク（登録商標）、マイピープル（登録商標）などによって提供されている。ＳＭＳ，ＭＭＳサービスを利用することと同じ効果を無料で利用することができるため消費者は熱狂した。そのためこのようなモバイルメッセンジャーを提供した運営者は広範囲の加入者を確保することができた。
【０００４】
しかし、モバイルメッセンジャーを提供し管理する運営者の立場では広範囲の加入者のアクセスとデータの処理、システム管理などに必要となるコストを負担せざるを得なかった。これはすぐに収益モデルの創出という壁に当たってしまった。忠誠度の高い加入者は多く確保できたが、それを介していかなる収益を得られるのかに対する明確なビジネスモデルを作ることはできなかったのである。
【０００５】
本発明の発明者は前記のような問題点を解決するために長期にわたって研究及び努力した末、本発明を完成するに至った。
【発明の概要】
【発明が解決しようとする課題】
【０００６】
本発明の第１目的は、モバイルメッセンジャーを提供し管理する運営者の収益モデルを作る新たな方法を提供することにある。それは広告コンテンツの配布に関する。
【０００７】
また、本発明の第２目的は広告コンテンツを自らのスマートディバイスで視聴するユーザの不便さと心理的抵抗感を最小化するための方法を提供することにある。
【０００８】
一方、本発明に明示されていない他の目的は下記詳細な説明及びその効果から容易に推論し得る範囲内で追加的に考慮されるべきである。
【課題を解決するための手段】
【０００９】
前記のような目的を達成するために、本発明の第１の形態はスマートディバイスにインストールされているモバイルメッセンジャーを利用した広告コンテンツの提供方法であって、
（ａ）前記モバイルメッセンジャーを実行するステップと、
（ｂ）前記モバイルメッセンジャーの受信者を選択し、仮想キーボードを利用して前記受信者ディバイスに、関連した一連の送受信メッセージである単一メッセージ群の最初のメッセージを伝送するステップと、
（ｃ）最初のメッセージを伝送してから待機する間に前記仮想キーボード領域に広告コンテンツを表示するステップと、を含むことを特徴とする。
【００１０】
また、本発明の第２の形態はスマートディバイスにインストールされているモバイルメッセンジャーを利用した広告コンテンツの提供方法であって、
（１）前記モバイルメッセンジャーを実行するステップと、
（２）前記モバイルメッセンジャーの受信者を選択し、リアルタイムにメッセージを送受信する途中に発信者がスマートディバイスのメモリに格納されているファイル又はＵＲＬアドレスを入力して受信者に伝送するステップと、
（３）前記発信者のスマートディバイスの仮想キーボード領域に広告コンテンツを表示するステップと、を含むことを特徴とする。
【００１１】
また、本発明の好ましい一実施例によるモバイルメッセンジャーを利用した広告コンテンツ提供方法において、前記最初のメッセージに対して前記受信者から返信メッセージが受信された場合又は予め設定された表示時間が終了された場合、前記広告コンテンツの表示を中断するステップを更に含むことが好ましい。
【００１２】
また、本発明の好ましい一実施例によるモバイルメッセンジャーを利用した広告コンテンツ提供方法において、前記（ｃ）ステップ又は（３）ステップは、前記スマートディバイスのメモリに予め格納されている広告コンテンツを読み出して表示するか、或いは前記モバイルメッセンジャー提供者サーバー又は広告コンテンツサーバーのデータベースに格納されている広告コンテンツをストリーミングして前記スマートディバイスの画面に表示することが好ましい。
【００１３】
また、本発明の好ましい一実施例によるモバイルメッセンジャーを利用した広告コンテンツ提供方法において、前記スマートディバイスの前記広告コンテンツの露出に対するログ記録が広告コンテンツサーバー又はモバイルメッセンジャー提供者サーバーによって格納され、前記広告コンテンツサーバー又は前記モバイルメッセンジャー提供者サーバーが広告コンテンツの露出回数だけ前記スマートディバイスの移動通信使用料金を負担するステップを更に含むことが好ましい。
【００１４】
本発明の第３の形態はスマートディバイスにインストールされているモバイルメッセンジャーを利用した広告コンテンツの提供方法であって、
（ａ）前記モバイルメッセンジャーを実行するステップと、
（ｂ）前記モバイルメッセンジャーの受信者を選択し、前記受信者ディバイスにメッセージを伝送するステップと、
（ｃ）前記メッセージを伝送したスマートディバイスの仮想キーボード領域にメッセージが入力されない休憩期間の間に前記スマートディバイスに格納されている広告コンテンツを読み出して表示するか、又はモバイルメッセンジャー提供者サーバー又は広告コンテンツサーバーのデータベースに格納されている広告コンテンツをストリーミングして表示するステップと、を含むことを特徴とする。
【発明の効果】
【００１５】
本発明によると、モバイルメッセンジャー運営者に新たな収益モデルを提供することができる。それを介してモバイルメッセンジャーの運営者が現在のサービスを維持するとともにより良い新規サービスを提供するのに所用されるコストの負担を相当部分解消できると見込まれる。また、モバイル広告の新たな広告インベントリーの確保で新たな広告市場を構築することができ、産業上の利用可能性が非常に高い。
【００１６】
また、本発明はモバイルメッセンジャーを利用してリアルタイムにメッセージを送受信する際、スマートディバイスの画面上に現れる仮想キーボード領域の休憩期間を利用する。この際、ユーザの間で事実上メッセージが行き交わない待機期間又は遊休画面であるためユーザを全く邪魔しない長所がある。よって、広告コンテンツに対する心理的抵抗感を最小化することができる著しい効果がある。その上、必須的に広告コンテンツが表示されるため非常に優れた広告効果が得られる利点がある。
【００１７】
一方、ここで明示的に言及されていない効果であっても、本発明の技術的特徴によって期待される下記明細書に記載された効果及びその暫定的な効果は本発明の明細書に記載されたものと同じく取り扱われるべきであることを付言する。
【図面の簡単な説明】
【００１８】
【図１】モバイルメッセンジャーを利用してメッセージを入力する際の画面１００構成の例を示す図である。
【図２】本発明の第１実施例によって広告コンテンツ１４０を仮想キーボード領域１３０に表示する広告方法のモバイルメッセンジャーの画面１００構成の例を示す図である。
【図３】メッセージの受信によって図２の広告コンテンツ１４０が消えた状態のモバイルメッセンジャーの画面１００構成の例を示す図である。
【図４】本発明の第２実施例によって広告コンテンツ１４１を仮想キーボード領域１３０に表示する広告方法のモバイルメッセンジャーの画面１００構成の例を示す図である。
【図５】メッセージの受信によって図４の広告コンテンツ１４１が消えた状態のモバイルメッセンジャーの画面１００構成の例を示す図である。
【図６】本発明の第１実施例による広告方法の全体のプロセス構成を例示するフローチャートである。
【図７】本発明の第２実施例による広告方法の全体のプロセス構成を例示するフローチャートである。
【図８】本発明のシステムの構成例を概略的に示す図である。
【発明を実施するための形態】
【００１９】
以下、添付した図面を参照して本発明を実施例するための具体的な内容を説明する。そして、本発明を説明するに当たって、関連する公知機能に対してこの分野の技術者にとって自明な事項として本発明の要旨を不明確にする恐れがあると判断される場合にはその詳細な説明を省略する。
【００２０】
モバイルインスタントメッセージ（ＭＩＭ）とは、モバイルメッセンジャーを利用して課金されることなく交換することができるメッセージを意味する。ユーザがＭＩＭを利用するためには自らのスマートディバイスにモバイルメッセンジャーを実行するアプリケーションをインストールするようになっており、代表的なプロバイダーブランドとしてはカカオトーク（登録商標）、マイピープル（登録商標）などがある。モバイルメッセンジャーはスマートディバスにおける「友だち」関係にある他のユーザの情報をリストで提供し、友だち関係のユーザのうち誰か一人以上を指定してリアルタイムにメッセージを交換する。
【００２１】
モバイルメッセンジャーのアプリケーションはスマートディバイスのＯＳに最適化される。モバイルメッセンジャーでメッセージを入力し伝送する手段はハードウェア入力装置を利用しないし、ソフトウェアによりアプリケーションに特化した入力手段を提供するのでもない。スマートディバイスのＯＳソフトウェアによって予め装置に設定されている仮想キーボードを呼び出して利用するようになっている。本発明の明細書において、スマートディバイスはスマートフォン、タブレットＰＣなどの電話機能が搭載されたモバイルコンピューティングディバイス、そしてスマートフォン又はタブレットＰＣと連動されるスマートテレビのことを意味し、ソフトウェア入力手段である仮想キーボードを有するディバイスを意味する。
【００２２】
図１は、モバイルメッセンジャーで文字メッセージを伝送する画面構成の例を示す。モバイルメッセンジャー画面１００は受信者表示部１１０、メッセージ表示部１２０、入力手段である仮想キーボード領域１３０を含む。ユーザは仮想キーボード領域１３０の入力ウィンドウ１３１に文字、記号、数字などを入力し、伝送ボタン１３２を押してメッセージを受信者に伝送する。作成されたメッセージ（伝送されたメッセージ）はメッセージ表示部１２０に表示される。好ましくは、発信人のメッセージは右寄せに受信人から伝送されたメッセージは左寄せに配置される。
【００２３】
モバイルメッセージで呼び出されたスマートディバイスの仮想キーボードは図１の画面からスクロールアウトするまでアクティブ状態で維持される。ユーザが迅速にメッセージを交換可能な環境を提供するためである。即ち、メッセージ送受信を終了してメイン画面又はリスト画面に転換される前までは図１のように仮想キーボードが画面に表示され続ける。
【００２４】
図２は、本発明の第１実施例によるシナリオを示す図である。ユーザが受信者に「Ｈｅｌｌｏ，ＫＩＭ」というメッセージを入力し作成する際の画面構成の例である。伝送されたメッセージはメッセージ表示部１２０に発信者側を指示する吹き出し１２３の中に現れる。吹き出し１２３にはメッセージが伝送された時間が表示され、日付表示部１２１にはこのメッセージが伝送された日付が表示される。
【００２５】
この際にも仮想キーボード領域１３０はモバイルメッセンジャー画面１００から消えずにそのまま残っている。そして、受信者の立場では急にメッセージが届いたのであるため直ちに返信することができない可能性がある。図２のように発信者が最初のメッセージを送り受信者から最初の返信メッセージを受ける前まではある程度の待機時間があることが普通である。
【００２６】
この待機期間の間にもモバイルメッセンジャー画面１００をユーザが終了しない限り仮想キーボード領域１３０はそのまま活性化されている。本発明はこのように遊休状態の（何の機能も行っていない状態の）ディバイス画面に広告コンテンツを表示する。即ち、仮想キーボード領域１３０の上に広告コンテンツ領域１４０が生じるのである。好ましくは、仮想キーボード領域１３０全体又は一部が広告コンテンツ領域１４０に変えられる。
【００２７】
仮想キーボード領域１３０全体に広告コンテンツが表示される実施例では、広告コンテンツをキーボード領域全体に表示してからしばらく入力を中断するようにすることでプッシュ効果を極大化することができる（但し、この場合には広告コンテンツをタッチすると広告コンテンツが消えるようにするか、又は画面に表示される特定表示や特定部分をタッチすると広告コンテンツが消えるようにする変形形態があり得る）。仮想キーボード領域１３０の一部に広告コンテンツが表示される実施例では、最初のメッセージを入力してからすぐに続けてメッセージを入力しようとする際のユーザ環境を保障する。例えば、仮想キーボード領域のうちからディバイスの入力ウィンドウ部分及び／又は伝送ボタン部分は広告コンテンツで隠さずにディバイス画面に表示されるようにしてもよい。この際、入力ウィンドウ部分又は伝送ボタン部分でユーザのタッチイベントが発生すると、ディバイスは広告コンテンツが消えるようにしてキーボード入力待機状態に転換する。
【００２８】
仮想キーボード領域に表示される広告コンテンツはテキスト、イメージ又は動画であってもよく、これらの組み合わせであってもよい。
【００２９】
スマートディバイスを使用するユーザの環境上、広告コンテンツは短い時間の間にのみ表示されることが好ましい。好ましくは、広告コンテンツは大よそ３〜１０秒以内のランニングタイムを有する。また、受信者から返信が来ると広告コンテンツの表示を終了することが好ましい。このような場合でも続けて広告コンテンツが表示されるとユーザに抵抗感を与えかねないためである。ユーザは更に返信をしようとするため、仮想キーボードが画面に現れる。
【００３０】
図３はこのような状況を示す画面構成例である。受信者からの最初の返信メッセージか吹き出し１２４の中に現れる。すると発信者と受信者はリアルタイムでチャットをする状況にあり、直ちにメッセージを交換することができる。このような状況で広告コンテンツを表示するとユーザに多大な不快感と不便さをもたらすため、図２の広告コンテンツは表示されない。
【００３１】
図４は、本発明の第２実施例による画面のシナリオである。発信者と受信者はメッセージを交換する。このスマートディバイスのユーザである発信者のメッセージは右側の吹き出し１２５，１２７に表示され、受信者のメッセージは左側の吹き出し１２６に表示される。
【００３２】
第２実施例はスマートディバイスに格納されているファイルやＵＲＬアドレスをモバイルメッセンジャーを介して伝送する場合である。例えば、吹き出し１２７を介してＹｏｕｔｕｂｅの動画がリンクされているＵＲＬ情報を受信者に伝送すると、受信者がそれをタッチして自らのディバイスに活性化し視聴するまで、サイトを読み込んで動画をバッファリングしそのコンテンツを見るまで時間が所要される。この際にも仮想キーボード領域１３０は続けて発信者のディバイス画面に表示されている状態である。即ち、この場合でも仮想キーボードが遊休状態であるため、まさにこの状況、この領域に更に広告コンテンツ１４１を表示する。第１実施例と同じく仮想キーボード領域１３０の全体又は一部が広告コンテンツ領域１４０に変えられる。
【００３３】
また、第１実施例と同じく広告コンテンツ１４１は好ましくは大よそ３〜１０秒以内のランニングタイムを有する。また、受信者から返信が来ると広告コンテンツの表示を終了することが好ましい。図５は、受信者が吹き出し１２９を介して「Ｓｏ  ｇｏｏｏｏｏｏｄ！」という返信メッセージを送った際の画面の例を示す。広告コンテンツの表示は終了され、仮想キーボード領域１３０に更に復帰する。
【００３４】
第１実施例と第２実施例の仮想キーボード領域に表示される広告コンテンツはスマートディバイスのメモリに予め格納されている広告コンテンツであり得る。広告コンテンツは広告コンテンツをスマートディバイスにダウンロードする別途の媒体（広告コンテンツアプリケーション）を利用して予めダウンロードする。又は、スマートディバイスにインストールされているモバイルメッセンジャーのアプリケーションを介して予めダウンロードしてもよい。広告コンテンツは周期的に交換される。例えば、スマートディバイスがネットワークに接続されている際、即ち、Ｗｉ−Ｆｉのような無線インターネットが活性化されている際、広告コンテンツサーバーから新しい広告コンテンツをダウンロードして従来の広告コンテンツと交換する。
【００３５】
広告コンテンツの表示に関する他の実施形態では、広告コンテンツはモバイルメッセンジャー提供者サーバー（又は広告コンテンツサーバー、以下同様）のデータベースに格納されているものである。モバイルメッセンジャーサーバーはアプリケーションプログラム上にチャットチャネルが開設された後、第１実施例のように発信者が最初のメッセージを伝送する直前、そして第２実施例のようにファイル又はＵＲＬアドレスが伝送される直前に発信者の仮想キーボード領域にモバイルコンテンツを表示する。動画の場合、モバイルメッセンジャーサーバーが仮想キーボード領域にストリーミングする。即ち、この実施形態では広告コンテンツ（サーバー側で変更可能）は表示時点と表示領域を有するように予めデフォルトに設定される。
【００３６】
本発明の仮想キーボード領域１３０とはスマートディバイスのソフトウェアとして提供されているキーボードをいい、ユーザのタッチ入力又はそれに準ずる入力方法によってキー入力が決められるものである。
【００３７】
図４の実施例はＵＲＬを入力して伝送するシナリオ画面の例であり、動画やテキスト、イメージがリンクされているウェブページがローディングされる。これは、ある種ウェブの上にリンクされているファイルを伝送することと同じである。これとは異なって発信者のスマートディバイスに格納されているファイルを伝送することもできるが、図４の画面例ではファイル伝送インタフェースが表示されていない。これはスマートフォン、タブレットＰＣなどのスマートディバイスでファイル検索インタフェースが変化と進化の過程を経ているため表示されていないのである。第一、図４の画面にアイコンとして表示される。この場合には前記第２実施例が適用される。第二、スマートディバイスの他の画面、即ち、写真、動画、テキスト（例えば、メモ、テキストファイル、電子書籍など）を見る画面でファイル伝送機能を選択し、その機能がモバイルメッセンジャーに伝送する機能になり得る。このような実施形態では前記第１実施例が適用される。モバイルメッセンジャーの実行ステップと最初のメッセージ（ファイル伝送メッセージ）の伝送は同時に実行され、その際に仮想キーボード領域に広告コンテンツが表示される。
【００３８】
図６は、本発明の第１実施例に基づいた広告コンテンツ提供方法の全体のプロセス構成例を示す図である。スマートディバイスにはモバイルメッセンジャーのアプリケーションが予めインストールされる。モバイルメッセンジャーのアプリケーションはスマートディバイスのＯＳに予め含まれていてもよい。モバイルメッセンジャーのアプリケーションがスマートディバイスにインストールされた時に少なくとも一つ以上の広告コンテンツがスマートディバイスのメモリに格納されてもよい（広告コンテンツ保存場所に関する第１形態）。また、モバイルメッセンジャー提供者サーバー（又は広告コンテンツサーバー）側の広告コンテンツデータベースに一つ以上の広告コンテンツが格納されていてもよい（広告コンテンツ保存場所に関する第２形態）。
【００３９】
まず、スマートディバイスがモバイルメッセンジャーを実行するＳ１００。ユーザがスマートディバイスの画面に現れたモバイルメッセンジャーアイコンを選択することでモバイルメッセンジャーのプログラム起動すなわち実行される。モバイルメッセンジャーを実行すると、メイン画面又はサブ画面に文字メッセージを伝送する受信者のリストが現れる。受信者を選択するＳ１１０。
【００４０】
受信者を選択し、選択された受信者にメッセージを入力しようとする際、スマートディバイスは仮想キーボードを画面の上に表示する。この仮想キーボードを利用して受信者に対してメッセージを作成し、伝送ボタンを押すとスマートディバイスはメッセージを該当受信者に伝送するＳ１２０。
【００４１】
この際のメッセージは単一メッセージ群の最初のメッセージとして定義する。ここで、単一メッセージ群とは、送受信（チャット）される一連のメッセージ群のことであり開始のメッセージから終了のメッセージまでのひとまとまりのメッセージ群を意味する。好ましくは、単一メッセージ群は所定の時間によって設定される。例えば、以下のように多様に設定される（ここで、数字は多様に変形可能である）：
（１）単一メッセージ群とされる範囲は特定受信人に対する最初のメッセージを伝送した時点から最後のメッセージを伝送した後、１時間が過ぎた時点までとして設定する（この際、１時間が経過してから最初のメッセージを送ると異なる新たな単一メッセージ群の最初のメッセージとなる）；
（２）単一メッセージ群とされる範囲は特定受信人からメッセージが伝送された時点から２時間が経過した後、または該当受信人に最初のメッセージ（返信メッセージ）を伝送しその後最後のメッセージを伝送して１時間が過ぎた時点までとして設定する。
（３）単一メッセージ群とされる範囲は以前の広告コンテンツが画面に表示された時点から１時間が過ぎた時点までとして設定する；又は
（４）受信人が異なる場合には異なる単一メッセージ群であるとみなす。
【００４２】
前記スマートディバイスはＳ１２０で伝送されたメッセージが前記のように設定された単一メッセージ群の最初のメッセージであるのかを判断しＳ１３０、そうであれば広告コンテンツを仮想キーボード領域に表示するＳ１４０。
【００４３】
スマートディバイスは受信者（受信者スマートディバイス）から返信メッセージが到着したのかを判断しＳ１５０、もし返信メッセージが到着したのに広告コンテンツの予め設定された表示時間がまだ経過していなければ広告コンテンツの表示を強制に終了するＳ１７０。また、返信メッセージがまだ到着していなくても広告コンテンツの表示時間の経過可否を判断しＳ１６０、設定された時間を経過したのであれば同じく広告コンテンツの表示を終了するＳ１７０。
その後からは通常のメッセージ送受信の手続きを行うＳ１８０。
【００４４】
図７は、本発明の第２実施例に基づいた広告コンテンツ提供方法の全体のプロセス構成例を示す図である。図５の実施例と基本的な原理は同じである。しかし、ここでは単一メッセージ群の最初のメッセージという概念によって広告コンテンツが表示されるのではなく、発信者がモバイルメッセンジャーを利用して第３のコンテンツであるファイル又はＵＲＬ情報をメッセージとして伝送した場合の広告コンテンツの表示を提示する。
【００４５】
まず、スマートディバイスがモバイルメッセンジャーを実行するＳ２００。モバイルメッセンジャーを実行して受信者を選択し、リアルタイムでメッセージを送受信するＳ２１０。スマートディバイスはメッセージにファイル又はＵＲＬ情報が存在するのか否かを判断するＳ２２０。
【００４６】
前記Ｓ２２０で入力されたメッセージにファイル又はＵＲＬ情報が存在するのであれば、広告コンテンツを仮想キーボード領域に表示するＳ２３０。スマートディバイスは受信者（受信者スマートディバイス）から返信メッセージが到着したのかを判断しＳ２４０、もし返信メッセージが到着したのに広告コンテンツの予め設定された表示時間がまだ経過していなければ広告コンテンツの表示を強制に終了するＳ２６０。また、返信メッセージがまだ到着していなくても広告コンテンツの表示時間の経過可否を判断しＳ２５０、設定された時間を経過したのであれば同じく広告コンテンツの表示を終了するＳ２６０。その後からは通常のメッセージ送受信手続きを行うＳ２７０。
【００４７】
広告コンテンツの保存場所に関する第１形態において、もし予め格納されている広告コンテンツが多数であればランダムに或いは予め決められた順番によって広告コンテンツを仮想キーボード領域に表示する。広告コンテンツ格納位置に関する第２形態においては、モバイルメッセンジャー提供者サーバー又は広告コンテンツサーバーのスケジューリングに従う。好ましくはユーザの位置、年、性別などの個人化された特性情報のうちいずれか一つの情報に基づいて個人化された広告コンテンツが表示されるようにする。
【００４８】
広告コンテンツの表示イベントに対するログ記録はスマートディバイスに記録されて広告コンテンツサーバに伝送され、またモバイルメッセンジャー提供者サーバーにその記録が格納される。
【００４９】
図８は、本発明の実施例によるモバイルメッセンジャーを介して広告コンテンツを提供するためのシステム３００構成例を概略的に示す図である。ここで、ユーザ端末は全てスマートディバイスである。
【００５０】
モバイルメッセンジャーサーバ３２０はユーザ端末Ａ３２５又はユーザ端末Ｂ３３０に設置されるモバイルメッセンジャーを提供して各ユーザ端末間のメッセージ送受信を担当する。好ましい一実施例では広告コンテンツサーバー３１５がモバイルメッセンジャーサーバー３２０と連動して広告コンテンツが前記モバイルメッセンジャーの画面の上に（正確には仮想キーボード領域）表示されるようにする。ある実施例ではモバイルメッセンジャーサーバー３２０側に広告コンテンツを格納する保存場所があり、広告情報とログ情報を記録するデータベースが構築される。この実施例で広告コンテンツサーバ３１５はモバイルメッセンジャーサーバー３２０側に統合される。
【００５１】
広告コンテンツサーバー３１５は広告コンテンツをユーザ端末Ａ３２５及びユーザ端末Ｂ３３０に提供する。また、ユーザ端末Ａ３２５及びユーザ端末Ｂ３３０から前記課金情報を獲得して広告主サーバー３０５にリポートする。そして、前記広告コンテンツサーバー３１５はモバイルメッセンジャーサーバー３２０と連動してユーザ端末Ａ３２５又はユーザ端末Ｂ３３０にモバイルメッセンジャーのアプリケーションがインストールされる際、１つ以上の広告コンテンツがユーザ端末のメモリに格納されるようにする。また、広告コンテンツサーバ３１５はユーザ端末に格納された広告コンテンツを一定周期に更新して交換する。ある実施例では前記ユーザ端末Ａ３２５又はユーザ端末Ｂ３３０に設置されたモバイルメッセンジャーが更新される際に一緒に更新されて交換されるようにしてもよい。また、広告コンテンツサーバー３０５（又はモバイルメッセンジャーサーバー３２０）は移動通信会社サーバー３１０と連携して広告コンテンツの露出回数だけ前記ユーザ端末の使用料金を負担するようにする。好ましくは、露出回数だけ積立金又はポイントをユーザのアカウントに積み立てるか又はスマートディバイスの使用料金を提供してもよい。即ち、ユーザ端末の広告コンテンツの表示イベントが増加するだけユーザ端末に利益を与えるビジネスモデルを構築することができる。
【００５２】
ユーザ端末は自らのディバイスの仮想キーボード領域に表示された広告コンテンツをクリックしてリンクされた広告主のサイトに移動可能である。また、広告コンテンツに含まれたリンクと予め決められた手順に応じて購入イベントを発生させる。アプリケーションは広告リプレイインタフェースを提供し、それを選択することでリンク移動と購入イベントが実行される。例えば、モバイルメッセンジャーを終了する際に広告コンテンツのリプレイボタンがユーザ端末の画面に表示されるようにすることでユーザインタフェースを提供してもよい。
【００５３】
広告主サーバー３０５は広告コンテンツサーバー３１５からユーザ端末Ａ３２５、ユーザ端末Ｂ３３０から提供された広告コンテンツのログ記録、即ち、露出回数、露出頻度、露出時間、広告コンテンツのリンクを選択した回数、統計情報などの情報を獲得する。
【００５４】
本発明の保護範囲が前記で明示的に説明した実施例の記載と表現に制限されることはない。また、本発明の属する技術分野で自明な変更や置換によって本発明の保護範囲が制限されることもないことを再度付言する。
【図１】
2015518611.tif 000003
【図２】
2015518611.tif 000004
【図３】
2015518611.tif 000005
【図４】
2015518611.tif 000006
【図５】
2015518611.tif 000007
【図６】
2015518611.tif 000008
【図７】
2015518611.tif 000009
【図８】
2015518611.tif 000010
【国際調査報告】
2015518611.tif 000011
2015518611.tif 000012
2015518611.tif 000013
2015518611.tif 000014